(57)【特許請求の範囲】
【請求項１】
フェース部を備えるゴルフクラブヘッドであって、
複数の交換部材と、
複数の取付部と、を備え、
前記複数の交換部材は、
第一の交換部材と、
第二の交換部材と、を少なくとも含み、
前記複数の取付部は、
前記第一の交換部材が着脱自在な第一の取付部と、
前記第一の取付部とは異なる部位に配設され、前記第二の交換部材が着脱自在な第二の取付部と、を少なくとも含み、
前記第一の交換部材は、前記第二の取付部に着脱自在であり、
前記第二の交換部材は、前記第一の取付部に着脱自在であり、
前記第一の交換部材は、前記第一の取付部に取り付けられた場合に、前記フェース部の背面に当接して、その当接部分の変形を拘束する補強部材であり、
前記第二の交換部材は、前記第一の取付部に取り付けられた場合に、前記フェース部の背面に当接しない部材であり、
前記第二の取付部は、前記第一の取付部から、少なくともフェース−バック方向に離間した部位に配設されている、
ことを特徴とするゴルフクラブヘッド。
【請求項２】
フェース部を備えるゴルフクラブヘッドであって、
複数の交換部材と、
複数の取付部と、を備え、
前記複数の交換部材は、
第一の交換部材と、
第二の交換部材と、を少なくとも含み、
前記複数の取付部は、
前記第一の交換部材が着脱自在な第一の取付部と、
前記第一の取付部とは異なる部位に配設され、前記第二の交換部材が着脱自在な第二の取付部と、を少なくとも含み、
前記第一の交換部材は、前記第二の取付部に着脱自在であり、
前記第二の交換部材は、前記第一の取付部に着脱自在であり、
前記第一の交換部材は、前記第一の取付部に取り付けられた場合に、前記フェース部の背面に当接して、その当接部分の変形を拘束する補強部材であり、
前記第二の交換部材は、前記第一の取付部に取り付けられた場合に、前記フェース部の背面に当接しない部材であり、
前記ゴルフクラブヘッドは、クラウン部、ソール部及びサイド部を備えるウッド型のゴルフクラブヘッドであり、
前記第一の取付部は、前記ソール部に配設され、
前記第二の取付部は、バック側の前記サイド部に配設され、
前記第一の交換部材は、前記第二の交換部材よりも重い、
ことを特徴とするゴルフクラブヘッド。
【請求項３】
フェース部を備えるゴルフクラブヘッドであって、
複数の交換部材と、
複数の取付部と、を備え、
前記複数の交換部材は、
第一の交換部材と、
第二の交換部材と、を少なくとも含み、
前記複数の取付部は、
前記第一の交換部材が着脱自在な第一の取付部と、
前記第一の取付部とは異なる部位に配設され、前記第二の交換部材が着脱自在な第二の取付部と、を少なくとも含み、
前記第一の交換部材は、前記第二の取付部に着脱自在であり、
前記第二の交換部材は、前記第一の取付部に着脱自在であり、
前記第一の交換部材は、前記第一の取付部に取り付けられた場合に、前記フェース部の背面に当接して、その当接部分の変形を拘束する補強部材であり、
前記第二の交換部材は、前記第一の取付部に取り付けられた場合に、前記フェース部の背面に当接しない部材であり、
前記ゴルフクラブヘッドは、バック部、ソール部及びサイド部を備えるアイアン型のゴルフクラブヘッドであり、
前記第一の取付部は、前記バック部に配設され、
前記第二の取付部は、トウ側の前記サイド部に配設され、
前記第一の交換部材は、前記第二の交換部材よりも重い、
ことを特徴とするゴルフクラブヘッド。
【請求項４】
請求項１乃至請求項３のいずれか１項に記載のゴルフクラブヘッドであって、
前記第一の交換部材及び前記第二の交換部材は、互いに全長が異なる、
ことを特徴とするゴルフクラブヘッド。
【請求項５】
請求項１に記載のゴルフクラブヘッドであって、
前記第一の交換部材及び前記第二の交換部材は、互いに重量が異なる、
ことを特徴とするゴルフクラブヘッド。
【請求項６】
請求項１に記載のゴルフクラブヘッドであって、
前記第一の交換部材及び前記第二の交換部材は、同じ重量である、
ことを特徴とするゴルフクラブヘッド。
【請求項７】
請求項１乃至請求項３のいずれか１項に記載のゴルフクラブヘッドであって、
前記当接部分は、前記フェース部の下部である、
ことを特徴とするゴルフクラブヘッド。
【請求項８】
請求項１乃至請求項３のいずれか１項に記載のゴルフクラブヘッドであって、
前記当接部分は、前記フェース部の中央部かつ下部である、
ことを特徴とするゴルフクラブヘッド。
【請求項９】
請求項１又は請求項３に記載のゴルフクラブヘッドであって、
前記第二の取付部は、前記第一の取付部から、少なくともトウ−ヒール方向に離間した部位に配設されている、
ことを特徴とするゴルフクラブヘッド。
【請求項１０】
請求項１乃至請求項３のいずれか１項に記載のゴルフクラブヘッドであって、
前記第一の交換部材及び前記第二の交換部材は、それぞれ、ネジ軸を備え、
前記第一の取付部及び第二の取付部は、それぞれ、前記ネジ軸と螺合するネジ孔を備える、
ことを特徴とするゴルフクラブヘッド。
【請求項１１】
請求項１０に記載のゴルフクラブヘッドであって、
前記第一の取付部の前記ネジ孔は、その中心線が前記フェース部と交差するように形成されている、
ことを特徴とするゴルフクラブヘッド。
【請求項１２】
請求項１０に記載のゴルフクラブヘッドであって、
前記第一の交換部材の前記ネジ軸は、中実又は中空の金属部材である、
ことを特徴とするゴルフクラブヘッド。
【請求項１３】
請求項１乃至請求項３のいずれか１項に記載のゴルフクラブヘッドであって、
前記複数の交換部材は、３以上の交換部材を含む、
ことを特徴とするゴルフクラブヘッド。
【請求項１４】
請求項１乃至請求項３のいずれか１項に記載のゴルフクラブヘッドであって、
前記複数の取付部は、３以上の取付部を含む、
ことを特徴とするゴルフクラブヘッド。
【発明の詳細な説明】
【技術分野】
【０００１】
本発明はゴルフクラブヘッドに関する。
【背景技術】
【０００２】
ゴルフクラブヘッドの性能を向上するため、様々な構造が提案されている。例えば、特許文献１には中空のゴルフクラブヘッドの内部に骨格を設け、重心位置等の設計自由度を向上しようとしたゴルフクラブヘッドが開示されている。また、例えば、特許文献２〜４には、フェース部の中央部を補強する構造を備えたゴルフクラブヘッドが開示されている。特許文献５及び６には、交換部品を備えてユーザが好みの特性を選択可能なゴルフクラブヘッドが開示されている。特許文献５及び６には、交換部品として、打撃時のフェース部の振動の減衰を促進させる交換部品が開示されている。特許文献７には、フェース部の中央部を補強する構造を備えたゴルフクラブヘッドが開示されており、中央部の剛性を調節可能な構造を開示している。
【先行技術文献】
【特許文献】
【０００３】
【特許文献１】米国特許第６５５８２７１号明細書
【特許文献２】米国特許第７１４０９７７号明細書
【特許文献３】米国特許第８６０２９１２号明細書
【特許文献４】特許第５４３８１２４号公報
【特許文献５】特許第４６０８４３７号公報
【特許文献６】特許第４６０８４２６号公報
【特許文献７】特表２０１２−５２５２１４号公報
【発明の概要】
【発明が解決しようとする課題】
【０００４】
フェース部の剛性分布は、飛距離性能や打感といったゴルフクラブヘッドの特性に影響する。しかし、ゴルファーの能力や好みにより、その効果の程度は異なる。したがって、ゴルファーが好みの特性を選択できることが望ましい。
【０００５】
本発明の目的は、フェース部の剛性分布をゴルファーが変更可能なゴルフクラブヘッドを提供することにある。
【課題を解決するための手段】
【０００６】
本発明によれば、フェース部を備えるゴルフクラブヘッドであって、複数の交換部材と、複数の取付部と、を備え、前記複数の交換部材は、第一の交換部材と、第二の交換部材と、を少なくとも含み、前記複数の取付部は、前記第一の交換部材が着脱自在な第一の取付部と、前記第一の取付部とは異なる部位に配設され、前記第二の交換部材が着脱自在な第二の取付部と、を少なくとも含み、前記第一の交換部材は、前記第二の取付部に着脱自在であり、前記第二の交換部材は、前記第一の取付部に着脱自在であり、前記第一の交換部材は、前記第一の取付部に取り付けられた場合に、前記フェース部の背面に当接して、その当接部分の変形を拘束する補強部材であり、前記第二の交換部材は、前記第一の取付部に取り付けられた場合に、前記フェース部の背面に当接しない部材であり、前記第二の取付部は、前記第一の取付部から、少なくともフェース−バック方向に離間した部位に配設されている、ことを特徴とするゴルフクラブヘッドが提供される。
また、本発明によれば、フェース部を備えるゴルフクラブヘッドであって、複数の交換部材と、複数の取付部と、を備え、前記複数の交換部材は、第一の交換部材と、第二の交換部材と、を少なくとも含み、前記複数の取付部は、前記第一の交換部材が着脱自在な第一の取付部と、前記第一の取付部とは異なる部位に配設され、前記第二の交換部材が着脱自在な第二の取付部と、を少なくとも含み、前記第一の交換部材は、前記第二の取付部に着脱自在であり、前記第二の交換部材は、前記第一の取付部に着脱自在であり、前記第一の交換部材は、前記第一の取付部に取り付けられた場合に、前記フェース部の背面に当接して、その当接部分の変形を拘束する補強部材であり、前記第二の交換部材は、前記第一の取付部に取り付けられた場合に、前記フェース部の背面に当接しない部材であり、前記ゴルフクラブヘッドは、クラウン部、ソール部及びサイド部を備えるウッド型のゴルフクラブヘッドであり、前記第一の取付部は、前記ソール部に配設され、前記第二の取付部は、バック側の前記サイド部に配設され、前記第一の交換部材は、前記第二の交換部材よりも重い、ことを特徴とするゴルフクラブヘッドが提供される。
また、本発明によれば、フェース部を備えるゴルフクラブヘッドであって、複数の交換部材と、複数の取付部と、を備え、前記複数の交換部材は、第一の交換部材と、第二の交換部材と、を少なくとも含み、前記複数の取付部は、前記第一の交換部材が着脱自在な第一の取付部と、前記第一の取付部とは異なる部位に配設され、前記第二の交換部材が着脱自在な第二の取付部と、を少なくとも含み、前記第一の交換部材は、前記第二の取付部に着脱自在であり、前記第二の交換部材は、前記第一の取付部に着脱自在であり、前記第一の交換部材は、前記第一の取付部に取り付けられた場合に、前記フェース部の背面に当接して、その当接部分の変形を拘束する補強部材であり、前記第二の交換部材は、前記第一の取付部に取り付けられた場合に、前記フェース部の背面に当接しない部材であり、前記ゴルフクラブヘッドは、バック部、ソール部及びサイド部を備えるアイアン型のゴルフクラブヘッドであり、前記第一の取付部は、前記バック部に配設され、前記第二の取付部は、トウ側の前記サイド部に配設され、前記第一の交換部材は、前記第二の交換部材よりも重い、ことを特徴とするゴルフクラブヘッドが提供される。
【発明の効果】
【０００７】
本発明によれば、フェース部の剛性分布をゴルファーが変更可能なゴルフクラブヘッドを提供することができる。
【図面の簡単な説明】
【０００８】
【図１】（Ａ）は本発明の一実施形態のゴルフクラブヘッドの斜視図、（Ｂ）は図１（Ａ）のゴルフクラブヘッドをソール部側から見た図。
【図２】（Ａ）及び（Ｂ）は図１（Ａ）のI-I線に沿う断面図。
【図３】（Ａ）及び（Ｂ）は当接部分の位置の例の説明図。
【図４】（Ａ）〜（Ｃ）は別例の説明図。
【発明を実施するための形態】
【０００９】
＜第１実施形態＞
図１（Ａ）は本発明の一実施形態のゴルフクラブヘッド１０の斜視図、図１（Ｂ）はゴルフクラブヘッド１０をソール部１３側から見た図である。
【００１０】
ゴルフクラブヘッド１０は中空体をなしており、その周壁が、フェース部１１、クラウン部１２、ソール部１３及びサイド部１４を構成している。フェース部１１は、その表面（正面）がフェース面（打撃面）を形成する。フェース面にはバルジ及びロールを形成することができる。クラウン部１２はゴルフクラブヘッド１０の上部を形成する。ソール部１３はゴルフクラブヘッド１０の底部を形成する。サイド部１４はソール部１３と、クラウン部１２との間の部分を形成する。また、ゴルフクラブヘッド１０はシャフトが取付けられるホゼル部１５を備える。
【００１１】
図１（Ａ）の矢印ｄ１はフェース−バック方向を示し、矢印ｄ２はトウーヒール方向を示す。フェース−バック方向は、通常は、飛球線方向（打球の目標方向）となる。トウ−ヒール方向は、ソール部１３のトウ側端とヒール側端とを結ぶ方向とする。フェース部１１の上下方向は、ゴルフクラブヘッドを規定ライ角通りに接地した場合を基準とする。本実施形態の場合、ソール部１３−クラウン部１２の方向となる。
【００１２】
ゴルフクラブヘッド１０はドライバ用のゴルフクラブヘッドである。しかし、本発明はドライバ以外のフェアウエイウッド等も含むウッド型のゴルフクラブヘッド等、他の種類のゴルフクラブヘッドに適用可能である。
【００１３】
ゴルフクラブヘッド１０は、金属材料から作成することができ、そのような金属材料としては、チタン系金属（例えば、６Ａｌ−４Ｖ−Ｔｉのチタン合金等）、ステンレス、ベリリウムカッパー等の銅合金が挙げられる。
【００１４】
ゴルフクラブヘッド１０は、複数のパーツを接合して組み立てることができる。例えば、本体部材とフェース部材とから構成できる。本体部材は、クラウン部１２、ソール部１３、サイド部１４及びフェース部１１の周縁部分を構成し、フェース部１１に相当する部分の一部に開口部が形成される。フェース部材は本体部材の開口部に接合される。
【００１５】
ゴルフクラブヘッド１０は、取付部１６、１７を備える。取付部１６は、本実施形態の場合、ソール部１３に配設されている。具体的には、ソール部１３は、周囲よりも凹んだ凹部１３ａを含み、取付部１６は凹部１３ａの壁部に形成されてゴルフクラブヘッド１０の内部に位置している。また、取付部１６は、ｄ２方向で言うとソール部１３の中央部に位置し、ｄ１方向で言うとフェース部１１側に偏った位置に配設されている。
【００１６】
取付部１７は、取付部１６とは異なる位置に配設されている。本実施形態の場合、取付部１７は、バック側のサイド部１４に配設されており、ｄ１方向で言うとバック側に偏った位置に配設されている。このため、取付部１６と、取付部１７とは、互いにｄ１方向に離間した部位に配設されている。また、取付部１７は、ｄ２方向で言うとヒール側に偏った位置に配設されている。このため、取付部１６と、取付部１７とは、互いにｄ２方向にも離間した部位に配設されている。
【００１７】
本実施形態の場合、取付部１６、１７は、同径、同ピッチのネジ孔である。取付部１６は、その中心線ｄ３がフェース部１１と交差するように形成されている。取付部１７は、その中心線ｄ４がｄ１方向よりもｄ２方向に近い方向となるように形成されている。
【００１８】
ゴルフクラブヘッド１０は、交換部材１８、１９を備える。交換部材１８は、本実施形態の場合、ネジ軸１８ａと、頭部１８ｂとを一体に備えるネジ部材である。交換部材１９は、本実施形態の場合、ネジ軸１９ａと、頭部１９ｂとを一体に備えるネジ部材である。
【００１９】
頭部１８ｂ、１９ｂには六角レンチなどの工具と係合する有底の孔が形成されている。ネジ軸１８ａ及び１９ａは、それぞれ、取付部１６及び取付部１７に螺合する軸径及びネジピッチを有している。したがって、交換部材１８は、選択的に、取付部１６又は取付部１７のいずれにも着脱自在である。同様に、交換部材１９は、選択的に、取付部１６又は取付部１７のいずれにも着脱自在である。上述したとおり、取付部１６はゴルフクラブヘッド１０の内部に位置しているが、凹部１３ａを設けたことで、交換部材１８又は１９の着脱を比較的容易なものにしている。取付部１７はサイド部１４に開口しているので、これも、交換部材１８又は１９の着脱を比較的容易なものにしている。
【００２０】
本実施形態の場合、交換部材１８と交換部材１９とは、全長を除いて同じ構成としている。交換部材１８の全長はＬ１であり、交換部材１９の全長はＬ２であり、両者はＬ１＞Ｌ２の関係にある。ここで、本実施形態の場合、全長Ｌ１と全長Ｌ２との違いは、専らネジ軸１８ａとネジ軸１９ａの長さの違いによるものであり、頭部１８ｂと頭部１９ｂとは同じ形状である。
【００２１】
交換部材１８、１９は、本実施形態の場合、それぞれ、比重が同じ金属材料から一体的に形成された中実の金属部材である。金属材料としては、例えば、チタン、チタン合金、アルミニウム、アルミニウム合金、タングステン、タングステン合金、ステンレス等を挙げることができる。既に述べたとおり、交換部材１８、１９は全長が異なるので、これらは互いに重量が異なる。本実施形態の場合、交換部材１８の方が全長が長いので、したがって、交換部材１８の方が交換部材１９よりもその重量が重い。
【００２２】
本実施形態のゴルフクラブヘッド１０では、交換部材１８、１９の取付位置を選択することができる。第１の取付態様は、交換部材１８を取付部１６に取り付け、交換部材１９を取付部１７に取り付ける態様である。第２の取付態様は、交換部材１８を取付部１７に取り付け、交換部材１９を取付部１６に取り付ける態様である。
【００２３】
以下、これらの取付態様の違いについて図２（Ａ）及び（Ｂ）を参照して説明する。図２（Ａ）及び（Ｂ）は図１（Ａ）のI-I線に沿う断面図であり、図２（Ａ）は第１の取付態様における断面図を示し、図２（Ｂ）は第２の取付態様における断面図を示している。
【００２４】
図２（Ａ）に示すように、第１の取付態様の場合、交換部材１８の先端（ネジ軸１８ａの先端）がフェース部１１の背面に当接する。換言すると、交換部材１８の全長Ｌ１（特にネジ軸１８ａの長さ）と取付部１６の位置とが、交換部材１８の先端がフェース部１１の背面に当接するように設計されている。
【００２５】
ネジ軸１８ａの先端がフェース部１１の背面に当接することで、フェース部１１は、その当接部分Ｐの変形が拘束される。つまり、交換部材１８はフェース部１１の変形を局所的に拘束する補強部材として機能する。本実施形態の場合、ネジ軸１８ａの先端は、先細り形状となっており、フェース部１１の背面に点接触する。これは、フェース部１１の変形を過剰に拘束することを抑制することができる。ネジ軸１８ａの先端は、自然状態におけるフェース部１１の背面を押圧しない程度に接触するようにしてもよいし、フェース面側に押圧する程度に接触するようにしてもよい。また、取付部１６に対するネジ軸１８ａの締結度合によって、押圧の程度を調整可能としてもよく、最大に締結した場合には、ネジ軸１８ａの先端がフェース部１１の背面をフェース面側に僅かに変位させてもよい。
【００２６】
当接部分Ｐの位置は、本実施形態の場合、ｄ２方向で言うとフェース部１１の中央部であり、上下方向で言うとフェース部１１の下部としている。当接部分Ｐの位置の例について図３（Ａ）及び（Ｂ）を参照して具体的に説明する。
【００２７】
図３（Ａ）において、面Ｓ１はゴルフクラブヘッド１０を、その規定ライ角、規定ロフト角で接地面に接地させたときに、フェース部１１の幾何中心Ｆｃを通り、接地面と垂直であり、トウ―ヒール方向と垂直な仮想垂直面である。なお、ライ角は図３（Ａ）において角度θ１で示されるとおり、ホゼル部１５に装着されるシャフト軸線Ｌ１１と、接地面とがなす角度である。ロフト角は図３（Ｂ）において角度θ２で示されるとおり、フェース部１１と、接地面に垂直な面とがなす角度である。
【００２８】
面Ｓ１と交わるフェース部１１の上端、下端をそれぞれ位置ＦＰ１、ＦＰ２とし、位置ＦＰ１−ＦＰ２間の高低差Ｈをフェース部１１の高さとする。
【００２９】
フェース部１１を、その高さに応じて三つの領域Ｒ１〜Ｒ３に仮想的に区別する。下方領域Ｒ３は、例えば、フェース部１１の下端からＨ×０．３までの領域とする。中央領域Ｒ２は、例えば、下方領域Ｒ３の上端からＨ×０．７までの領域とする。上方領域Ｒ１は、例えば、中央領域Ｒ２の上端からフェース部１１の上端までの領域とする。数値であらわすと、下方領域Ｒ３≦Ｈ×０．３、Ｈ×０．３＜中央領域Ｒ２≦Ｈ×０．７、上方領域Ｒ１＞Ｈ×０．７、となる。当接部分Ｐは下方領域Ｒ３に設定することができる。
【００３０】
図２（Ｂ）を参照して、第２の取付態様の場合、交換部材１９の先端（ネジ軸１９ａの先端）がフェース部１１の背面に当接しない。換言すると、交換部材１９の全長Ｌ２（特にネジ軸１９ａの長さ）と取付部１６の位置とが、交換部材１９の先端がフェース部１１の背面から離間して、当接しないように設計されている。本実施形態では、このようにフェース部１１の背面に対する当接の有無を交換部材１８、１９の全長によって制御しており、比較的簡易な構成でフェース部１１の背面に対する当接の有無を切り替えることができる。
【００３１】
第１の取付態様の場合と、第２の取付態様の場合とでゴルフクラブヘッド１０の特性の変化について説明する。本実施形態では、これら２つの取付態様によって、２種類の特性が同時に変化する。そのうちの一つはフェース部１１の剛性分布であり、残りの一つは重心位置である。
【００３２】
第１の取付態様の場合、当接部分Ｐの変形が拘束されることにより、フェース部１１の剛性分布としては、相対的に中央部から上部では剛性が低く、相対的に下部では剛性が高くなる。つまり、打撃時にフェース部１１の上部がバック側に撓み易くなるので、打球の打ち出し角が高くなる傾向にある。重心について着目すると、取付部１６、１７が互いにｄ１方向に離間しており、しかも、交換部材１８は交換部材１９よりも重量が重い。したがって、ゴルフクラブヘッド１０の重心位置は相対的にフェース部１１側に位置することになる。したがって、打球のバックスピン量が抑制される傾向になる。以上のことから、第１の取付態様の場合、打球の最大飛距離性能が相対的に高くなる。
【００３３】
第２の取付態様の場合、交換部材１８、１９によってフェース部１１の変形が拘束されない。したがって、フェース部１１の剛性分布としては、第１の取付態様のように相対的に下部で剛性が高くならない。つまり、反発が高いエリアが第１の取付態様の場合よりも広くなる。重心について着目すると、取付部１６、１７が互いにｄ１方向に離間しており、しかも、相対的に高重量の交換部材１８がバック側に位置しているので、第１の取付態様の場合よりも重心深度が深くなり、ゴルフクラブヘッド１０の慣性モーメントが大きくなる。以上のことから、第２の取付態様の場合、打点のバラつきに対する打球の飛距離のバラつきが相対的に小さくなる。
【００３４】
このように本実施形態では、交換部材１８、１９と取付部１６、１７との組み合わせを変えることで、フェース部１１の剛性分布や重心位置をゴルファーが変更することができる。また、剛性分布と重心位置とが、無関係に変更されるのではない。つまり、第１の取付態様の場合は最大飛距離性能の向上に適した剛性分布と重心位置となり、第２の取付態様の場合は飛距離のバラつきの抑制に適した剛性分布と重心位置となる。したがって、取付位置の違いによるゴルフクラブヘッド１０の特性の違いが、ゴルファーに理解し易いという利点がある。
【００３５】
＜第２実施形態＞
本発明はアイアン型のゴルフクラブヘッドにも適用可能である。図４（Ａ）は本発明の一実施形態のゴルフクラブヘッド１００の斜視図である。矢印ｄ１、ｄ２は上記第１実施形態と同様、それぞれ、フェース−バック方向、トウ−ヒール方向を示す。
【００３６】
ゴルフクラブヘッド１００は、フェース部１０１と、バック部１０２と、ソール部１０３と、サイド部１０４と、ホゼル部１０５と、を備える。
【００３７】
フェース部１０１は、その表面（正面）がフェース面（打撃面）を形成する。フェース面にはスコアラインを形成することができる。バック部１０２はフェース部１０１からｄ１方向（フェース−バック方向）に離間しており、ゴルフクラブヘッド１００の背部を形成する。ソール部１０３はゴルフクラブヘッド１００の底部を形成し、フェース部１０１とバック部１０２とを接続する。サイド部１０４はゴルフクラブヘッド１００の側部を形成する。
【００３８】
ゴルフクラブヘッド１００は、単一部品で構成してもよいし、複数のパーツを接合して組み立てることができる。複数のパーツを接合する場合、例えば、本体部材とフェース部材とから構成できる。本体部材はフェース部１０１以外の部分を構成し、フェース部材は本体部材に接合されてフェース部１０１を形成する。
【００３９】
ゴルフクラブヘッド１００は、取付部１０６、１０７を備える。取付部１０６は、本実施形態の場合、バック部１０２に配設されている。具体的には、取付部１０６は、ｄ２方向で言うとバック部１０２の中央部に位置し、上下方向で言うとバック部１０２の中央部に位置している。
【００４０】
取付部１０７は、取付部１０６とは異なる位置に配設されている。本実施形態の場合、取付部１０７は、トウ側のサイド部１０４に配設されている。このため、取付部１０６と、取付部１０７とは、互いにｄ２方向に離間した部位に配設されている。また、取付部１０７は、ｄ１方向で言うとフェース部１０１とバック部１０２との間に位置している。このため、取付部１０６と、取付部１０７とは、互いにｄ１方向にも離間した部位に配設されている。
【００４１】
本実施形態の場合、取付部１０６、１０７は、同径、同ピッチのネジ孔である。取付部１０６は、その中心線ｄ１３がフェース部１０１と交差するように形成されている。取付部１０７は、その中心線ｄ１４がｄ１方向よりもｄ２方向に近い方向となるように形成されており、本実施形態の場合、ｄ２方向と平行である。
【００４２】
ゴルフクラブヘッド１００は、交換部材１０８、１０９を備える。交換部材１０８は、本実施形態の場合、ネジ軸１０８ａと、頭部１０８ｂとを一体に備えるネジ部材である。交換部材１０９は、本実施形態の場合、ネジ軸１０９ａと、頭部１０９ｂとを一体に備えるネジ部材である。
【００４３】
頭部１０８ｂ、１０９ｂには六角レンチなどの工具と係合する有底の孔が形成されている。ネジ軸１０８ａ及び１０９ａは、それぞれ、取付部１０６及び取付部１０７に螺合する軸径及びネジピッチを有している。したがって、交換部材１０８は、選択的に、取付部１０６又は取付部１０７のいずれにも着脱自在である。同様に、交換部材１０９は、選択的に、取付部１０６又は取付部１０７のいずれにも着脱自在である。取付部１０６、１０７は、それぞれ、バック部１０２、サイド部１０４に開口しているので、交換部材１０８又は１０９の着脱を比較的容易なものにしている。
【００４４】
上記第１実施形態の交換部材１８、１９と同様、本実施形態の場合、交換部材１０８と交換部材１０９とは、全長を除いて同じ構成としており、交換部材１０８の方が全長が長い。また、交換部材１０８、１０９は、比重が同じ金属材料から一体的に形成された中実の金属部材である。
【００４５】
本実施形態のゴルフクラブヘッド１００では、交換部材１０８、１０９の取付位置を選択することができる。第１の取付態様は、交換部材１０８を取付部１０６に取り付け、交換部材１０９を取付部１０７に取り付ける態様である。第２の取付態様は、交換部材１０８を取付部１０７に取り付け、交換部材１０９を取付部１０６に取り付ける態様である。
【００４６】
以下、これらの取付態様の違いについて図４（Ｂ）及び（Ｃ）を参照して説明する。図４（Ｂ）及び（Ｃ）は図４（Ａ）のII-II線に沿う断面図であり、図４（Ｂ）は第１の取付態様における断面図を示し、図４（Ｃ）は第２の取付態様における断面図を示している。
【００４７】
図４（Ｂ）に示すように、第１の取付態様の場合、交換部材１０８の先端（ネジ軸１０８ａの先端）がフェース部１０１の背面に当接する。ネジ軸１０８ａの先端がフェース部１０１の背面に当接することで、フェース部１０１は、その当接部分Ｐの変形が拘束される。つまり、交換部材１０８はフェース部１０１の変形を局所的に拘束する補強部材として機能する。本実施形態の場合、ネジ軸１０８ａの先端は、先細り形状となっており、フェース部１０１の背面に点接触する。これは、フェース部１０１の変形を過剰に拘束することを抑制することができる。ネジ軸１０８ａの先端は、自然状態におけるフェース部１０１の背面を押圧しない程度に接触するようにしてもよいし、フェース面側に押圧する程度に接触するようにしてもよい。また、取付部１０６に対するネジ軸１０８ａの締結度合によって、押圧の程度を調整可能としてもよく、最大に締結した場合には、ネジ軸１０８ａの先端がフェース部１０１の背面をフェース面側に僅かに変位させてもよい。
【００４８】
当接部分Ｐの位置は、本実施形態の場合、ｄ２方向で言うとフェース部１０１の中央部であり、上下方向で言うとフェース部１０１の下部としている。当接部分Ｐの位置の例については、図３（Ａ）及び（Ｂ）を参照して上述した下部領域Ｒ３としてもよい。
【００４９】
図４（Ｃ）を参照して、第２の取付態様の場合、交換部材１０９の先端がフェース部１０１の背面に当接しない。
【００５０】
第１の取付態様の場合と、第２の取付態様の場合とでゴルフクラブヘッド１００の特性の変化について説明する。本実施形態では、これら２つの取付態様によって、２種類の特性が同時に変化する。そのうちの一つはフェース部１０１の剛性分布であり、残りの一つは重心位置である。
【００５１】
第１の取付態様の場合、当接部分Ｐの変形が拘束されることにより、フェース部１０１の剛性分布としては、相対的に中央部から上部では剛性が低く、相対的に下部では剛性が高くなる。アイアン型のゴルフクラブヘッドの場合、一般的に、打点はフェース面の中央部から下部となる。つまり、打撃時にフェース部１０１の下部が撓みにくくなるので、打感がよくなる。重心について着目すると、取付部１０６、１０７が互いにｄ２方向に離間しており、しかも、交換部材１０８は交換部材１０９よりも重量が重い。したがって、ゴルフクラブヘッド１００の重心位置は相対的にホゼル部１０５側に位置することになる。したがって、ゴルフクラブヘッド１００がシャフト軸線周りに回転し易くなり、その操作性が向上する。
【００５２】
第２の取付態様の場合、交換部材１０８、１０９によってフェース部１０１の変形が拘束されない。したがって、フェース部１０１の剛性分布としては、第１の取付態様のように相対的に下部で剛性が高くならない。つまり、反発が高いエリアが第１の取付態様の場合よりも広くなる。重心について着目すると、取付部１０６、１０７が互いにｄ２方向に離間しており、しかも、相対的に高重量の交換部材１０８がトウ側に位置しているので、第１の取付態様の場合よりもゴルフクラブヘッド１００の慣性モーメントが大きくなる。以上のことから、第２の取付態様の場合、打点のバラつきに対する打球の飛距離のバラつきが相対的に小さくなる。
【００５３】
このように本実施形態では、交換部材１０８、１０９と取付部１０６、１０７との組み合わせを変えることで、フェース部１０１の剛性分布や重心位置をゴルファーが変更することができる。また、剛性分布と重心位置とが、無関係に変更されるのではない。つまり、第１の取付態様の場合は打感や操作性といった上級者の好みに適した剛性分布と重心位置となり、第２の取付態様の場合は飛距離のバラつきの抑制といった初級者に適した剛性分布と重心位置となる。したがって、取付位置の違いによるゴルフクラブヘッド１００の特性の違いが、ゴルファーに理解し易いという利点がある。
【００５４】
＜他の実施形態＞
上記第１実施形態では、交換部材１８、１９を取付部１６、１７に着脱自在にする構造として、ネジ構造を採用したが、これに限られず、どのような着脱構造であってもよい。交換部材１８、１９の構造、形状も上述した構造、形状に限られない。上記第２実施形態も同様である。
【００５５】
また、上記第１実施形態では、交換部材１８と交換部材１９との重量が異なるものとしたが、同じであってもよい。ただし、この構成の場合、第１の取付態様と第２の取付態様とで重心の変化が無いか、極めて小さいものとなる場合があり、実質的にフェース部１１の剛性分布のみが変化することになる。上記第２実施形態も同様である。
【００５６】
また、上記第１実施形態では、交換部材１８及び１９を中実の金属部材としたが中空の金属部材としてもよい。中空の金属部材とする場合、例えば、ネジ軸１８ａ、１９ａが円筒状であってもよい。上記第２実施形態も同様である。
【００５７】
また、上記第１実施形態では、交換部材１８及び１９を比重が同じ金属部材としたが、比重が異なる金属部材としてもよい。また、交換部材１８及び１９を金属材料以外の材料から形成してもよい。ただし、交換部材１８はフェース部１１の変形を拘束する点で、剛性の高い材料であることが好ましい。上記第２実施形態も同様である。
【００５８】
また、上記第１実施形態では、当接部分Ｐの位置をフェース部１１の中央部で下部としたが、これに限られず、目的とするスイートエリアの範囲に応じて当接部分Ｐの位置を設定可能である。上記第２実施形態も同様である。
【００５９】
また、上記第１実施形態では、交換部材２つとしたが、３以上であってもよい。また、取付部も３以上であってもよい。この場合、各交換部材はどの取付部に対しても着脱自在であってもよい。各取付部の位置も上述した例に限られない。上記第２実施形態も同様である。
【符号の説明】
【００６０】
１０、１００  ゴルフクラブヘッド
１６、１７、１０６、１０７  取付部
１８、１９、１０８、１０９  交換部材
１１、１０１  フェース部
【図１】
0006363406.tif 000002
【図２】
0006363406.tif 000003
【図３】
0006363406.tif 000004
【図４】
0006363406.tif 000005